(57)【要約】【課題】来訪者があった場合でも即時に携帯電話でその来訪者の画像を確認することができる来訪者応答システムを提供する。【解決手段】インターホン子機１８で撮影した来訪者の画像をホームゲートウェイ１２が、予め登録された携帯電話２２のブルートゥースアドレスを用いて、ブルートゥースの通信方式で利用者の携帯電話２２に通知する。【選択図】      図１
2008017062.tif 000002
【特許請求の範囲】
【請求項１】
住宅やマンションの入口に設けられたインターホン子機と、
前記インターホン子機と接続されたインターホン親機と、
前記インターホン親機と接続された制御装置と、
無線公衆回線による第１通信手段と、短距離無線リンクによる第２通信手段を有する少なくとも１台の携帯電話と、
を備えた来訪者応答システムにおいて、
前記インターホン子機は、
来訪者によって操作されるボタンと、
前記ボタンが操作された時に前記来訪者の画像を撮影する撮影手段と、
前記ボタンが操作された時に前記画像に関する画像信号と共に呼出情報信号を出力する出力手段と、
を備え、
前記インターホン親機は、
前記呼出情報信号と前記画像信号が入力する入力手段と、
前記呼出情報信号が入力した時に、前記来訪者があったことを報知すると共に前記画像信号を再生して画像として表示する報知手段と、
前記呼出情報信号と前記画像信号を前記制御装置に転送する転送手段と、
を備え、
前記制御装置は、
前記携帯電話の通信情報が登録された記憶手段と、
前記呼出情報信号が入力した時に、前記画像信号を前記短距離無線リンクによって前記登録された携帯電話に前記通信情報に基づいて送信する第１送信手段を備え、
前記携帯電話は、前記画像信号を受信した時に、前記画像信号を再生して画像として表示する表示手段を備えた
ことを特徴とする来訪者応答システム。
【請求項２】
前記短距離無線リンクが、Ｂｌｕｅｔｏｏｔｈである
ことを特徴とする請求項１記載の来訪者応答システム。
【請求項３】
前記制御装置とインターネットを介して接続されたサーバーをさらに備え、
前記制御装置は、前記呼出情報信号が入力した時に、前記画像信号を前記インターネットを介して前記サーバーに送信する第２送信手段をさらに備え、
前記サーバーは、前記画像信号を受信した時に、予め登録された前記携帯電話に前記インターネット、または、前記無線公衆回線を介して前記画像信号を送信するサーバー送信手段を備えた
ことを特徴とする請求項１記載の来訪者応答システム。
【請求項４】
前記制御装置は、前記記憶手段に前記携帯電話の前記通信情報を登録するときに、前記サーバーに前記通信情報を同時に登録する
ことを特徴とする請求項３記載の来訪者応答システム。
【請求項５】
前記画像が、静止画像、または、動画像である
ことを特徴とする請求項１記載の来訪者応答システム。
【発明の詳細な説明】
【技術分野】
【０００１】
本発明は、携帯電話を利用して来訪者を確認することができる来訪者応答システムに関するものである。
【背景技術】
【０００２】
最近、住宅やマンションの玄関にあるインターホン子機にカメラを設け、インターホン親機からこのカメラによって撮影した来訪者を確認することができるインターホン装置が販売されている。
【０００３】
また、このようなインターホン装置に通信装置を付加して、カメラで撮影した画像を携帯電話に送信する来訪者応答システムが提案されている（例えば、特許文献１、特許文献２参照）。
【０００４】
このように携帯電話によって来訪者を確認することができると、来訪者を確認するためにわざわざインターホン親機まで行く必要がなく、すぐにその応答をすることができる。
【特許文献１】特開平１１−２９８８８６号公報
【特許文献２】特開２００２−２８１１８０号公報
【発明の開示】
【発明が解決しようとする課題】
【０００５】
しかし、上記のようにインターホン親機から携帯電話に画像信号を送信する場合には、インターネット経由で行われている。そのため、来訪者があった場合に携帯電話に即時にその画像信号が送信されない場合があり、応答が遅れるという問題点があった。
【０００６】
そこで、本発明は上記問題点に鑑み、来訪者があった場合でも即時に携帯電話でその来訪者の画像を確認することができる来訪者応答システムを提供する。
【課題を解決するための手段】
【０００７】
本発明は、住宅やマンションの入口に設けられたインターホン子機と、前記インターホン子機と接続されたインターホン親機と、前記インターホン親機と接続された制御装置と、無線公衆回線による第１通信手段と、短距離無線リンクによる第２通信手段を有する少なくとも１台の携帯電話と、を備えた来訪者応答システムであって、前記インターホン子機は、来訪者によって操作されるボタンと、前記ボタンが操作された時に前記来訪者の画像を撮影する撮影手段と、前記ボタンが操作された時に前記画像に関する画像信号と共に呼出情報信号を出力する出力手段と、を備え、前記インターホン親機は、前記呼出情報信号と前記画像信号が入力する入力手段と、前記呼出情報信号が入力した時に、前記来訪者があったことを報知すると共に前記画像信号を再生して画像として表示する報知手段と、前記呼出情報信号と前記画像信号を前記制御装置に転送する転送手段と、を備え、前記制御装置は、前記携帯電話の通信情報が登録された記憶手段と、
前記呼出情報信号が入力した時に、前記画像信号を前記短距離無線リンクによって前記登録された携帯電話に前記通信情報に基づいて送信する第１送信手段を備え、前記携帯電話は、前記画像信号を受信した時に、前記画像信号を再生して画像として表示する表示手段を備えたことを特徴とする来訪者応答システムである。
【発明の効果】
【０００８】
本発明によれば、短距離無線リンクによって制御装置から携帯電話に画像信号が送られるため、来訪者を即時に確認することができる。
【発明を実施するための最良の形態】
【０００９】
以下、本発明の一実施形態の来訪者応答システム１０について図１〜図５に基づいて説明する。
【００１０】
（１）来訪者応答システム１０の構成
図１に基づいて、来訪者応答システム１０について説明する。図１は、来訪者応答システム１０の構成図である。
【００１１】
図１に示すように、来訪者応答システム１０は、ホームゲートウェイ１２、パソコン１４、インターホン親機１６、インターホン子機１８、アプリケーションサーバー２０、携帯電話２２とから構成されている。
【００１２】
インターホン子機１８は、住宅やマンションの玄関に据え付けられているものであり、呼出しボタン２４と、カメラ２６が設けられている。来訪者が呼出しボタン２４を操作すると、カメラ２６がその来訪者の静止画像を撮影する。インターホン子機は、その呼出情報信号及び画像信号をインターホン親機１６に出力する。
【００１３】
インターホン親機１６は、インターホン子機１８から呼出情報信号が入力すると、呼出し音を鳴らすと共に、液晶表示装置からなる表示部２８に画像信号を再生して画像を表示する。なお、インターホン親機１６も家電制御プロトコルであるエコーネットプロトコルをサポートする。
【００１４】
ホームゲートウェイ１２は、図２に示すように制御部３０、ＰＣ・エコーネット通信部３２、インターネット通信部３４、ブルートゥース通信部３６、記憶部３８を有している。ホームゲートウェイ１２は、家電制御プロトコルであるエコーネットプロトコルをサポートする。パソコン１４とインターホン親機１６とは、ＰＣ・エコーネット通信部３２を介して接続されている。この接続としては、例えば無線ＬＡＮ、有線ＬＡＮ、Ｂｌｕｅｔｏｏｔｈ（ブルートゥース）によって接続されている。また、インターネット通信部３４は、インターネットを介してアプリケーションサーバー２０と接続されている。さらに、携帯電話２２とは、ブルートゥース通信部３６を介して通信する。
【００１５】
携帯電話２２は、ブルートゥースによる通信が可能なブルートゥースモジュールを内蔵している。このブルートゥースの通信方式としては、例えばＯｂｊｅｃｔ  Ｐｕｓｈ  Ｐｒｏｆｉｌｅによる通信方式がある。
【００１６】
（２）来訪者応答システム１０の設定方法
次に、来訪者応答システム１０における携帯電話の初期登録方法と呼出登録方法について図３〜図５に基づいて説明する。
【００１７】
（２−１）携帯電話２２の初期登録方法
この来訪者応答システム１０においては、使用する携帯電話２２を初期登録する必要がある。その初期登録方法について説明する。
【００１８】
まず、パソコン１４を介してホームゲートウェイ１２からアプリケーションサーバー２０にログインする。このログインする方法としては、パソコン１４に表示されている操作画面において、予め登録されているユーザーＩＤ、パスワードにより、その住宅の利用者のホームゲートウェイ用設定ページにアクセスを行う。
【００１９】
次に、ホームゲートウェイ１２からアプリケーションサーバー２０に対しコンテンツが要求され、パソコン１４にそのコンテンツが返信され、図４に示すような登録ページが表示される。登録ページが表示されると、利用者は、登録したい携帯電話２２のブルートゥースアドレスを入力する。例えば、自己の携帯電話２２のブルートゥースアドレスを入力する。但し、この入力する携帯電話２２は、１台でなく、複数台でもよく、例えば家族全員のブルートゥースアドレスが入力できる。
【００２０】
次に、ホームゲートウェイ１２の制御部３０は、記憶部３８に携帯電話２２のブルートゥースアドレスを初期登録する。
【００２１】
（２−２）呼出し登録
次に、インターホン子機１８の呼出しボタン２４が押された場合に、その情報を送る携帯電話２２を登録する方法について説明する。
【００２２】
まず、上記と同様にパソコン１４からホームゲートウェイ１２にログインする。
【００２３】
次に、ホームゲートウェイ１２はアプリケーションサーバー２０に対し呼出し時送信コンテンツを要求する。
【００２４】
次に、アプリケーションサーバー２０は、その呼出し時送信コンテンツをパソコン１４に返信する。
【００２５】
次に、パソコン１４には、呼出し時の登録ページが表示される。この場合に予め記憶部３８に初期登録した携帯電話２２のブルートゥースアドレスが表示されるため、この中から呼出し時に送信を希望する携帯電話２２を選択する。
【００２６】
次に、ホームゲートウェイ１２からその選択された携帯電話のブルートゥースアドレスがアプリケーションサーバー２０に送信される。
【００２７】
次に、アプリケーションサーバー２０では、送信された携帯電話２２のブルートゥースアドレスに基づいて呼出し時処理テーブルを作成して記憶すると共に、ホームゲートウェイ１２にも送信する。
【００２８】
次に、ホームゲートウェイ１２では、その送信された呼出し時処理テーブルを記憶部３８に記憶する。
【００２９】
これによって、呼出しボタン２４が操作された場合に呼び出される携帯電話２２が登録される。
【００３０】
（３）呼出し時の処理
次に、来訪者応答システム１０において、来訪者が訪れた場合の処理について図５〜図７に基づいて説明する。
【００３１】
インターホン子機１８で呼出しボタン２４が操作されると、その時にカメラ２６が来訪者の姿を静止画像として撮影する。そして、呼出情報信号と画像信号をインターホン親機１６に出力する。
【００３２】
インターホン親機１６では、ホームゲートウェイ１２に対し無線ＬＡＮを介して図７に示すような呼出しパケットを送信する。この呼出しパケットは、来客センサークラスを示すエコーネットオブジェクトと、来客検知状態を示すエコーネットプロパティーと、来客検知有りを示すエコーネットデータから構成されている。
【００３３】
図５は、ホームゲートウェイ１２における処理を示すフローチャートである。
【００３４】
ステップ１においては、上記で説明した呼出しパケットが受信される。呼出しパケットが受信されると、記憶部３８に予め準備されている対応表の内容とエコーネットオブジェクトとを比較する。ここではエコーネットオブジェクトとして来客センサークラスが記載されているため、対応表と一致し、その対応表に記載されている対応処理を行う。具体的には、携帯電話２２に通知するための処理を行うエコーネットコマンドの実行を開始する。
【００３５】
ステップ２において、そのエコーネットコマンドに基づいて、最初に条件の要求を行う。即ち、インターホン親機１６に対し付属の情報が有るか否かの問いあわせを行う。
【００３６】
ステップ３において、画像信号があるため、ステップ４において、画像信号を要求しそれを取得する。
【００３７】
ステップ５、６において、呼出し処理テーブルに基づいて、通知先の携帯電話２２を確認し、通知先があればステップ７に進み、無ければ終了する。
【００３８】
ステップ７において、ブルートゥース通信部３６を介して携帯電話２２とブルートゥースの接続を行う。この場合に、呼出し処理テーブルにおけるブルートゥースアドレスを用いる。
【００３９】
ステップ８において、接続が成功すればステップ９に進み、失敗すれば終了する。また、この同時にアプリケーションサーバー２０に対し呼出しボタン２４が操作されたことを通知する。
【００４０】
ステップ９において、携帯電話２２にブルートゥースを通じて画像信号を送信する。
【００４１】
携帯電話２２では、受信した画像信号を表示し、携帯電話２２を所持している利用者に対し来訪者があったことを通知する。
【００４２】
（４）効果
上記構成の来訪者応答システム１０であると、来訪者があった場合にブルートゥースを通じてその来訪者の画像を携帯電話２２に直接送信するため、利用者は直ぐにその来訪者の画像を見ることができる。そして、その来訪者が応答が必要な人間である場合にはインターホン親機１６から応答を行い、応答する必要がない人間にはそのまま放置することができる。
【００４３】
また、一般的な公衆回線を使用しないため呼出しのための費用が掛からず費用の抑制となる。
【００４４】
また、アプリケーションサーバー２０を介してホームゲートウェイ１２の設定を行うため、その操作が行い易い。
【００４５】
（変更例）
本発明は上記各実施形態に限らず、その主旨を逸脱しない限り種々に変更することができる。
【００４６】
上記実施形態では、インターホン親機１６とパソコン１４とは無線ＬＡＮによって接続したが、これに代えてブルートゥースによって接続してもよい。この場合には、携帯電話２２を呼び出すブルートゥース通信部３６とその通信部を兼ねることができる。
【００４７】
また、上記実施形態では、画像として静止画像を用いたが、これに代えて動画像を用いてもよい。この動画像を用いればさらに来訪者の様子を具体的に確認することができる。
【図面の簡単な説明】
【００４８】
【図１】本発明の一実施形態を示す来訪者応答システムの構成図である。
【図２】ホームゲートウェイのブロック図である。
【図３】ホームゲートウェイに携帯電話及び呼出し用の携帯電話を登録する手順である。
【図４】携帯電話の登録ページである。
【図５】呼出し時のホームゲートウェイのフローチャートである。
【図６】呼出し時の手順である。
【図７】呼出しパケットのデータ構成である。
【符号の説明】
【００４９】
１０  システム
１２  ホームゲートウェイ
１４  パソコン
１６  インターホン親機
１８  インターホン子機
２０  アプリケーションサーバー
２２  携帯電話
２４  呼出しボタン
２６  カメラ
２８  表示部
３０  制御部
【図１】
2008017062.tif 000003
【図２】
2008017062.tif 000004
【図３】
2008017062.tif 000005
【図４】
2008017062.tif 000006
【図５】
2008017062.tif 000007
【図６】
2008017062.tif 000008
【図７】
2008017062.tif 000009